(57)【要約】【課題】竪樋の設置が容易で施工性に優れるとともに、ヒンジや係止部等が表に露出せずに高いデザイン性を有し、種々の外径や断面形状の竪樋も確実に把持することが可能な竪樋用控え具を提供すること。【解決手段】建物の外壁５に固定される支持固定部２と、この支持固定部に接続されて竪樋４を把持する把持部３を有する竪樋用控え具１であって、把持部は、可撓性を有して帯状に形成されており、一端は支持固定部に接続され、一方の面に被係止部９を備え、支持固定部は、把持部を挿通可能とする通孔７と、この通孔に把持部を挿通したときに被係止部と係合して抜け止め可能とする係止部８を備え、把持部を竪樋の外周側に巻設した状態で、通孔に把持部を挿通させ、被係止部と係止部の係合により竪樋を把持させる。【選択図】図１
2017020201.tif 000002
【特許請求の範囲】
【請求項１】
建物の外壁に固定される支持固定部と、この支持固定部に接続されて竪樋を把持する把持部を有する竪樋用控え具であって、
前記把持部は、可撓性を有して帯状に形成されており、一端は前記支持固定部に接続され、一方の面に被係止部を備え、
前記支持固定部は、前記把持部を挿通可能とする通孔と、
この通孔に前記把持部を挿通したときに前記被係止部と係合して抜け止め可能とする係止部を備え、
前記把持部を竪樋の外周側に巻設した状態で、前記通孔に前記把持部を挿通させ、前記被係止部と係止部の係合により竪樋を把持させることを特徴とする竪樋用控え具。
【請求項２】
前記支持固定部の後面部に、建物の外壁面に前記支持固定部を固定するための嵌着部と嵌着可能な嵌着孔が設けられていることを特徴とする請求項１に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。この竪樋用控え具としては、竪樋を抱持して支持するために、壁面に固定する固定部とその前方に設けられた半円弧状の基材環体と、この基材環体の一側端に、ヒンジにより結合された開閉自在の開閉環体とを備えた構造のものが一般に用いられている。
【０００３】
この竪樋用控え具では、開閉環体の遊端に被係止部が形成され、受け環体の他側端に係止部が設けられ、この係止部と被係止部の接合により、竪樋を環体内側に配設した状態で把持するように構成されている。
【０００４】
一方、近年、住宅用の竪樋用控え具に関しては、竪樋の設置が容易で、施工性に優れ、構造がシンプルで、外観デザイン性にも優れた竪樋控え具が要求されている。しかしながら、従来の竪樋用控え具によれば、比較的施工性は良好であるものの、ヒンジや係止部、被係止部等を備えるため構造が複雑であり、また、これらのヒンジや係止部、被係止部が露出するため外観デザイン性が劣るといった問題があった。
【０００５】
このような問題に対して、これまでにヒンジを用いない竪樋控え具も提案されている（例えば、特許文献１を参照）。この提案によれば、竪樋控え具本体の一端部に数個の係止溝が形成されて、一方が閉塞した筒状の嵌合部と、他端部に鉤状の爪を突出させた連結片を備え、筒状の嵌合部に連結片を差し込み、連結片の爪と嵌合部の嵌合により竪樋を把持するようにしている。
【先行技術文献】
【特許文献】
【０００６】
【特許文献１】実開昭６２−１８７１２５号公報
【発明の概要】
【発明が解決しようとする課題】
【０００７】
しかしながら、上記特許文献１に記載の竪樋控え具では、嵌合部に設けた数個の係止溝により、竪樋の把持状態について多少の調節はできるものの、種々の外径や断面形状の竪樋を確実に把持することはできなかった。また、嵌合部が表に露出する点において未だ外観デザイン性に劣るといった問題があった。
【０００８】
本発明は、上記従来の問題点に鑑みてなされたものであり、竪樋の設置が容易で施工性に優れ、ヒンジや係止部等が表に露出せずに高いデザイン性を有し、種々の外径や断面形状の竪樋も確実に把持することが可能な竪樋用控え具を提供することを課題とする。
【課題を解決するための手段】
【０００９】
本発明は、上記の課題を解決するために、以下のことを特徴としている。
【００１０】
すなわち、本発明の竪樋用控え具は、建物の外壁に固定される支持固定部と、この支持固定部に接続されて竪樋を把持する把持部を有する竪樋用控え具であって、前記把持部は、可撓性を有して帯状に形成されており、一端は前記支持固定部に接続され、一方の面に被係止部を備え、前記支持固定部は、前記把持部を挿通可能とする通孔と、この通孔に前記把持部を挿通したときに前記被係止部と係合して抜け止め可能とする係止部を備え、前記把持部を竪樋の外周側に巻設した状態で、前記通孔に前記把持部を挿通させ、前記被係止部と係止部の係合により竪樋を把持させることを特徴とする。
【発明の効果】
【００１１】
本発明によれば、竪樋の設置が容易で施工性に優れるとともに、ヒンジや係止部等が表に露出せずに高いデザイン性を有し、種々の外径や断面形状の竪樋も確実に把持することが可能な竪樋用控え具を提供することが可能となる。
【図面の簡単な説明】
【００１２】
【図１】本発明の竪樋用控え具の一実施形態の概略図であり、（ａ）は竪樋を把持する前の状態の概略斜視図、（ｂ）は（ａ）のＡ−Ａ断面図である。
【図２】竪樋を把持した状態の概略図であり、（ａ）は竪樋を把持した状態の概略斜視図、（ｂ）は（ａ）のＡ’−Ａ’断面図である。
【図３】支持固定部と固定部との嵌着を説明するための概略側面断面図である。
【図４】支持固定部の他の実施形態を示す概略断面図である。
【発明を実施するための形態】
【００１３】
以下、発明を実施するための形態を示し、本発明の竪樋用控え具をさらに詳細に説明する。
【００１４】
図１（ａ）、図１（ｂ）に本発明の竪樋用控え具の一実施形態の概略図を示す。図１（ａ）は竪樋を把持する前の状態の概略斜視図であり、図１（ｂ）は（ａ）のＡ−Ａ断面図である。
【００１５】
本実施形態の竪樋用控え具１は、建物の外壁５に固定される支持固定部２と、支持固定部２に接続されて竪樋４を把持する把持部３を有する竪樋用控え具１である。把持部３は、可撓性を有して帯状に形成されており、一端は支持固定部２に接続され、一方の面に被係止部９を備えている。また、支持固定部２は、把持部３を挿通可能とする通孔７と、通孔７に把持部３を挿通したときに被係止部９と係合して抜け止め可能とする係止部８を備えている。そして、把持部３を竪樋４の外周側に巻設した状態で、通孔７に把持部３を挿通させ、被係止部９と係止部８の係合により竪樋４を把持させるものである。
【００１６】
図２（ａ）、図２（ｂ）に竪樋を把持した状態の概略図を示す。図２（ａ）は竪樋を把持した状態の概略斜視図であり、図２（ｂ）は（ａ）のＡ’−Ａ’断面図である。
【００１７】
本実施形態の竪樋用控え具１は、建物の外壁面５に沿って竪樋４を支持固定するために用いられるものであり、少なくとも、支持固定部２と把持部３及び固定部６を備えている。
【００１８】
支持固定部２は、建物の外壁面５に固定する固定部６及び竪樋４を把持する把持部３を接続する部材であり、支持固定部２の側面には把持部３の一端が接続されている。また、支持固定部２には、側部から横方向に把持部３が挿通可能な通孔７が設けられており、通孔７の内壁の後面部２１側には係止部８が設けられている。また、係止部８には通孔７の内側に突出するように鉤状の係止爪８１が設けられている。係止爪８１の突出位置は特に限定されるものではなく、図１、図２に示すように、通孔７の出口７２付近、また、通孔７の入口付近や中央部に設けることもできる。また、支持固定部２の後面部２１には、建物の外壁面５に支持固定部２を固定するための固定部６を接合可能とする嵌着孔２３が設けられている。
【００１９】
固定部６は、建築物の外壁面５と支持固定部２を接続する部材である。固定部６の形状は、固定する外壁面５の材質や状態によって適宜決定することができるが、通常、図３（ａ）、図３（ｂ）に示す形状の固定部６を用いることができる。図３（ａ）は先端部が釘状となっており、外壁面５に打ち込んで固定することができる。図３（ｂ）はクランク状の固定部６をねじや釘６２等で外壁面５に固定することができる。
【００２０】
なお、図３（ａ）、図３（ｂ）のいずれの固定部６においても、固定部６を外壁面５に固定した際に、支持固定部２に設けられた嵌着孔２３と嵌着可能な形状の嵌着部６１が外側に向けて露出するように設けられている。
【００２１】
嵌着部６１と嵌着孔２３は、ある程度硬度を有する材料で形成することにより、嵌着した後容易に取り外しができないようにすることができる。また、嵌着部６１と嵌着孔２３のいずれかを可撓性を有する材料で形成することにより、取り外しが可能な構成とすることもできる。このように取り外しが可能な構成とすることにより、建物の外壁面５から支持固定部２を容易に取り外すことが可能となり、竪樋４のメンテナンス性を向上させることができる。なお、支持固定部２と固定部６を一体に形成してもよい。
【００２２】
把持部３は、竪樋４を把持するための可撓性を有する帯状の部材であり、その一端が支持固定部２の側面に接続されている。把持部３と支持固定部２の接続方法は、両者が容易に外れない接続方法であれば特に制限はなく、例えば、接着や融着、ねじ止め等により接続することができる。また、把持部３と支持固定部２を一体に成形することもできる。
【００２３】
把持部３を構成する可撓性を有する材料としては、強度を有するとともに、ある程度の耐候性を有するものであれば特に制限はなく、例えば、樹脂やゴム、薄手のアルミやステンレス等の金属を用いることができる。
【００２４】
把持部３の片面には被係止部９が設けられている。この被係止部９は、支持固定部２に設けられた通孔７に把持部３を挿通したときに、通孔７内に設けられた係止部８と係合することにより抜けを防止する機能を有するものである。
【００２５】
被係止部９には縦溝からなる複数の溝部９１が形成されている。溝部９１の数や間隔等は、把持する竪樋４の外径や断面形状等に応じて適宜決定することができる。例えば、予め把持する竪樋４の外径や断面形状がわかっているときは、その竪樋４を把持したときに被係止部９の溝部９１と係止部８の係止爪８１が係止可能な位置のみ形成すればよい。また、予め把持する竪樋４の外径や断面形状が不明な場合を想定して把持部３の片面全体、あるいは特定の範囲に溝部９１を形成しておくこともできる。
【００２６】
なお、被係止部９における溝部９１の形状は、係止部８の係止爪８１と係合して抜けが防止できる形状であれば、縦溝の形状の溝部９１に限定されるものではなく、例えば、係止部８の係止爪８１と係合しうる凸状の突起や爪状等の形状としてもよい。
【００２７】
また、被係止部９を形成する把持部３の面も、係止部９との係合関係において対応する面であれば特に制限はない。具体的には、例えば、図１（ｂ）、図２（ｂ）において通孔７内の前面側２２に係止部８を設ける場合には、この係止部８に対応するように、図１（ｂ）、図２（ｂ）において被係止部９を設けた面とは反対側の面に設けることもできる。
【００２８】
把持部３の長さは、把持する竪樋４の外径や断面形状等に応じて適宜決定することができる。また、把持部３の幅は、強度が確保されれば特に制限されるものではなく、例えば、細く設定したり太く設定することができる。幅を細く設定した場合には、竪樋４を把持した際に把持部３を目立たなくすることができ、太く設定した場合には、安定して確実に竪樋４を把持することができる。なお、把持部３の幅の設定に関しては、支持固定部２に設ける通孔７の幅も把持部３の幅に合った幅に設定することが考慮される。
【００２９】
竪樋用控え具１による竪樋４の設置は、以下のように施工することができる。
【００３０】
まず、外壁面５の所定の位置に、支持固定部２を固定するための固定部６を固定する。固定部６の形状は、固定する外壁面５の材質や状態によって適宜決定することができる。
【００３１】
次に、外壁面５に固定した固定部６の嵌着部６１を支持固定部２に設けられた嵌着孔２３に嵌め込み、固定部６と支持固定部２を接合する。これにより、建物の外壁面５に竪樋用控え具１を容易に設置することができる。
【００３２】
次に、支持固定部２の前方部２２側に竪樋４を配置した状態で、竪樋４の外周側に把持部３を沿わせて巻設する。そして、把持部３の先端を通孔７の入口７１から挿入し、そのまま挿通させていく。通孔７内では、挿入した把持部３の片面に設けられた被係止部９の溝部９１に、通孔７内に設けられた係止部８の鉤状の係止爪８１が嵌る。さらに、そのまま挿通を続けることにより、係止爪８１は係合している溝部９１と次の溝部９１の段差を乗り越える。そして、竪樋４の外周側を確実に把持した時点で係止爪８１に対する溝部９１の移動が停止して竪樋４が強固に把持される。
【００３３】
また、係止部９の係止爪９１には返しが設けられているため、被係止部８の進行方向とは逆方向の移動は返しが機能して戻らないようになっている。これにより、一度強固に把持した竪樋４は容易に緩むことがない。
【００３４】
なお、上記の把持状態では、把持部３の先端部は支持固定部２の通孔７から出て露出した状態となっているが、通孔７の出口７２付近で把持部３の露出した先端部を切断することにより、竪樋用控え具１はシンプルな状態とすることができる。これにより、竪樋４を把持した状態において優れた外観デザイン性を有する竪樋用控え具１とすることができる。
【００３５】
以上、本発明の竪樋用控え具を実施形態に基づいて説明したが、本発明の竪樋用控え具は上記の実施形態に限定されるものではなく、その要旨を逸脱しない範囲内において種々の変更が可能である。
【００３６】
例えば、上記実施形態では、係止部８に形成した係止爪８１は、単に通孔７の内側に向けて突出した構成としたが、係止爪８１の高さを変位させられるような構成とすることもできる。
【００３７】
具体的には、図４に示すように、係止部８における係止爪８１の内側に係止爪８１の高さを変化させられるように抜き部８２を形成し、さらに、係止爪８１の先端に係合解除片８３を形成する。
【００３８】
抜き部８３の寸法や位置は、係止爪８１の高さを変化させられれば特に制限はないが、例えば、係止爪８１の付け根部分に負荷がかかった状態において係止部８が破損しない程度の強度を有する寸法や位置が考慮される。
【００３９】
このように、係止爪８１の内側に弾性変形するように抜き部８３を形成することにより、係止爪８１の高さを容易に変化させることができるため、被係止部９の溝部９１から次の溝部９１に移動しやすくなり、被係止部９の溝部９１と係合させやすくできる。
【００４０】
また、係止部８と被係止部９が係合した状態から、係合解除片８３を図４の矢印方向に上げて、通孔７内の係止爪８１の高さを低くすることにより、係止爪８１を被係止部９の溝部９１から外すことができる。これにより、一度通孔７に挿通して係合させた把持部３を緩めたり外すことが可能となり、設置した竪樋４の交換やメンテナンス等をさらに容易に行うことが可能となる。
【００４１】
また、前記実施形態では、係止部８と被係止部９の形状の関係は、係止部８に係止爪８１を形成し、被係止部９に溝部９１を形成しているが、これとは逆に、係止部８に溝部を形成し、被係止部９に鉤形状の爪を形成することもできる。
【００４２】
また、前記実施形態では支持固定部２を円柱状の形状としたが、これに限定されず、四角柱やその他種々の形状とすることもできる。
【００４３】
本発明の竪樋用控え具は上記の構成を備えているので、竪樋の設置が容易で施工性に優れるとともに、ヒンジや係止部等が表に露出せずに高いデザイン性を有し、種々の外径や断面形状の竪樋も確実に把持することが可能となる。
【００４４】
また、構造が非常にシンプルであり、竪樋の把持作業が非常に簡便に行えるので、竪樋の仮止め部材としても使用可能である。
【符号の説明】
【００４５】
１  竪樋用控え具
２  支持固定部
２１  後面部
２３  嵌着孔
３  把持部
４  竪樋
５  外壁面
６  固定部
６１  嵌着部
７  通孔
８  係止部
９  被係止部
【図１】
2017020201.tif 000003
【図２】
2017020201.tif 000004
【図３】
2017020201.tif 000005
【図４】
2017020201.tif 000006